(57)【要約】【課題】輸送の際にかさばることなく、施工現場での組立性が良い梁部構造、および梁部構造の施工方法を提供する。【解決手段】梁部構造６は、浴室ユニット１００の天井５における縁部５ｂに底部６１および側部６２を有し、浴室ユニット１００内に張り出すように設けられている。対向する側辺部が端部処理された板材を切断して形成され、端部処理された側辺部をそれぞれ有する一対の板体のうち、一方の板体で底部６１が、他方の板体で側部６２が形成されている。梁部構造６は、底部６１と側部６２とが、端部処理された側辺部同士で接続されている。【選択図】図２
2020041297.tif 000002
【特許請求の範囲】
【請求項１】
浴室の天井における縁部に底部および側部を有し、浴室内に張り出すように設けられた梁部構造であって、
対向する側辺部が端部処理された板材を切断して形成され、端部処理された前記側辺部をそれぞれ有する一対の板体のうち、一方の板体で前記底部が、他方の板体で前記側部が形成されており、
前記一方の板体と前記他方の板体とが、端部処理された前記側辺部同士で接続されていることを特徴とする梁部構造。
【請求項２】
前記他方の板体における前記側辺部が、前記一方の板体における前記側辺部の端面を覆うように配設されていることを特徴とする請求項１に記載の梁部構造。
【請求項３】
前記一方の板体における前記側辺部に被嵌合部が設けられており、前記他方の板体における前記側辺部に前記被嵌合部に嵌め合わされる嵌合部が設けられていることを特徴とする請求項１または２に記載の梁部構造。
【請求項４】
前記被嵌合部は、鉤状の先端部を有し、
前記嵌合部は前記先端部に係止する爪部を有することを特徴とする請求項３に記載の梁部構造。
【請求項５】
浴室の天井における縁部に底部および側部を有し、浴室内に張り出す梁部構造の施工方法であって、
対向する側辺部が端部処理された板材を切断して、端部処理された前記側辺部をそれぞれ有する一対の板体を形成する板材切断工程と、
前記一対の板体のうち一方の板体で前記底部を、他方の板体で前記側部を形成し、端部処理された前記側辺部同士で接続する組立工程と、
を備えることを特徴とする梁部構造の施工方法。
【請求項６】
前記組立工程は、前記一方の板体で前記底部を形成する第１組立工程、および前記他方の板体で前記側部を形成し、端部処理された前記側辺部同士を接続する第２組立工程とを有することを特徴とする請求項５に記載の梁部構造の施工方法。
【発明の詳細な説明】
【技術分野】
【０００１】
本発明は、梁部構造、および梁部構造の施工方法に関する。
【背景技術】
【０００２】
浴室ユニットは、浴槽および洗い場床の周囲を壁部、上方を天井で覆われている。浴室ユニットが配置される建物内の天井の縁部に梁型が張り出している場合、該梁型との機械的干渉を避けるように、浴室ユニットの天井の縁部に断面がＬ字状の梁部構造が設けられる。梁部構造は、浴室ユニット内に張り出しており、梁部構造の裏、即ち浴室ユニットの外側に建物内の梁型を通す空間が形成される。
【０００３】
例えば特許文献１には、断面略Ｌ型の長尺体から成る梁パネルの浴室外側になる面に、天井や壁と接続するためのリブを適当なピッチで複数形成し、該リブの根本で切断することによって寸法調整可能に構成された梁部構造が開示されている。
【先行技術文献】
【特許文献】
【０００４】
【特許文献１】特許第３９１０４８４号公報
【発明の概要】
【発明が解決しようとする課題】
【０００５】
特許文献１に記載の梁部構造では断面略Ｌ型の梁パネルを用いているが、該梁パネルは、輸送の際にかさばり、輸送効率を低下させてしまうという問題点があった。また、梁パネルはＬ型の長尺体であるため、重量が大きく、施工現場での組立時の取り扱いが難しいという問題点もあった。
【０００６】
本発明は、斯かる事情に鑑みてなされたものであり、その目的とするところは、輸送の際にかさばることなく、施工現場での組立性が良い梁部構造、および梁部構造の施工方法を提供することにある。
【課題を解決するための手段】
【０００７】
本発明に係る梁部構造は、浴室の天井における縁部に底部および側部を有し、浴室内に張り出すように設けられた梁部構造であって、対向する側辺部が端部処理された板材を切断して形成され、端部処理された前記側辺部をそれぞれ有する一対の板体のうち、一方の板体で前記底部が、他方の板体で前記側部が形成されており、前記一方の板体と前記他方の板体とが、端部処理された前記側辺部同士で接続されていることを特徴とする。
【０００８】
また、本発明に係る梁部構造の施工方法は、浴室の天井における縁部に底部および側部を有し、浴室内に張り出す梁部構造の施工方法であって、対向する側辺部が端部処理された板材を切断して、端部処理された前記側辺部をそれぞれ有する一対の板体を形成する板材切断工程と、前記一対の板体のうち一方の板体で前記底部を、他方の板体で前記側部を形成し、端部処理された前記側辺部同士で接続する組立工程と、を備えることを特徴とする。
【発明の効果】
【０００９】
本発明によれば、輸送の際にかさばることなく、施工現場での組立性が良くなる。
【図面の簡単な説明】
【００１０】
【図１】本発明の実施形態１に係る梁部構造を有する浴室ユニットの縦断面図である。
【図２】浴室ユニットの図１のＡ−Ａ線による断面図である。
【図３】図３（ａ）および図３（ｂ）は、梁部構造に用いる板材について説明するための模式図である。
【図４】梁部構造を浴室ユニットの外側から見た斜視図である。
【図５】梁部構造の一部を拡大した斜視図である。
【図６】梁部構造部分の図２に相当する断面図である。
【図７】図７（ａ）〜図７（ｄ）は、梁部構造の施工方法を説明するための模式図である。
【図８】図８（ａ）〜図８（ｃ）は、梁部構造の施工方法を説明するための模式図である。
【図９】実施形態２に係る梁部構造部分の図２に相当する断面図である。
【発明を実施するための形態】
【００１１】
以下、本発明を好適な実施の形態をもとに図１から図９を参照しながら説明する。各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１２】
（実施形態１）
図１は本発明の実施形態１に係る梁部構造６を有する浴室ユニット１００の縦断面図、図２は浴室ユニット１００の図１のＡ−Ａ線による断面図である。浴室ユニット１００は、浴槽１、洗い場床２、壁部４、天井５および梁部構造６等を備える。浴槽１は、平面視矩形状をなし、湯を溜めることができる深皿状である。浴槽１の側方には、浴槽１に隣接して洗い場床２が設けられている。浴槽１および洗い場床２は、建物側の床面９０に据え付けられた架台３０に取り付けられている。浴槽１および洗い場床２の下方には排水部３１が設けられており、浴槽１および洗い場床２で使用した水を排水部３１を通して建物側の排水路（図示略）へ排出する。浴槽１および洗い場床２は、周囲を壁部４によって覆われており、上方を天井５および梁部構造６によって覆われている。
【００１３】
壁部４は、壁部４１，４２，４３および４４を有し、例えば石膏板や樹脂板と、鋼板とを貼り合わせたパネル材などを素材として構成される。壁部４１は、浴槽１における洗い場床２と反対側の側辺に設けられている。壁部４２および壁部４３は、それぞれ壁部４１の横方向の両端部に連続して壁部４１に直交するように設けられており、浴槽１および洗い場床２に跨って設けられており、互いに対向している。壁部４４は、洗い場床２における浴槽１と反対側の側辺に設けられており、壁部４１に対向している。浴室ユニット１００への出入口は、洗い場床２の側辺に接する、例えば壁部４３または壁部４４に設けられる。壁部４には、図示しないシャワー装置、給水装置、手摺りおよび鏡などユーザの利便性を向上すべく機能する機能部品が配設される。各壁部４１，４２，４３および４４はそれぞれ、１枚の板材で構成されていてもよいし、左右方向において複数に分割し、複数の板材を連結して構成されていてもよい。また各壁部は、上下方向で複数に分割し、複数の板材を上下に積み上げるように連結して構成されていてもよい。
【００１４】
天井５は、壁部４と同様に例えば石膏板や樹脂板と、鋼板とを貼り合わせたパネル材などを素材として構成される。天井５の壁部４２側の縁部５ｂには、断面Ｌ字状の梁部構造６が浴室ユニット１００内に張り出すように設けられている。浴室ユニット１００は、設置する建物内の天井の縁部に梁型Ｈが張り出している場合、梁型Ｈとの機械的干渉を避けるように、梁型Ｈに沿って梁型Ｈの部分に対応する構造として、浴室ユニット１００の天井の縁部に梁部構造６が設けられる。
【００１５】
梁部構造６は、底部６１および側部６２を備える。底部６１は、側辺部６１ｂが壁部４２の上端部４２ｂに接続され、側辺部６１ａが側部６２の側辺部６２ａに接続されている。側部６２は、側辺部６２ｂが天井５の壁部４２側の縁部５ｂに接続されている。
【００１６】
図３（ａ）および図３（ｂ）は、梁部構造６に用いる板材Ｐついて説明するための模式図である。図３（ａ）に示すように板材Ｐは、平板状であり、壁部４や天井５と同様に、例えば石膏板や樹脂板と、鋼板とを貼り合わせたパネル材などである。板材Ｐは、互いに対向する側辺部６１ａおよび６２ａが端部処理されており、上述のように、梁部構造６として組み立てられたときに、側辺部６１ａおよび６２ａ同士が接続される。
【００１７】
板材Ｐは、施工現場における建物内の天井に設けられた梁型Ｈの大きさに応じて、切断線Ｌ１およびＬ２で切断される。切断線Ｌ１およびＬ２は、側辺部６１ａおよび６２ａの間にあり、側辺部６１ａおよび６２ａに沿って延びる線であり、側辺部６１ａおよび６２ａと平行である。切断線Ｌ１およびＬ２間の部分は除去され、図３（ｂ）に示すように、板体Ｐ１およびＰ２が切り出される。切り出された板体Ｐ１で梁部構造６の底部６１を形成し、板体Ｐ２で側部６２を形成する。
【００１８】
図４は梁部構造６を浴室ユニット１００の外側から見た斜視図、図５は梁部構造６の一部を拡大した斜視図である。梁部構造６は、小口カバー６３、梁固定クリップ６４、梁固定具６５、梁接続クリップ６６を用いて浴室ユニット１００の天井５に取り付けられる。
【００１９】
小口カバー６３は、長尺状であり、軸線方向に交差する断面がＵ字状をなし、底部６１の側辺部６１ｂ、並びに側辺部６１ａに交差する側辺部６１ｃおよび６１ｄに外挿して嵌められる。また、小口カバー６３は、側部６２の側辺部６２ａに交差する側辺部６２ｃおよび６２ｄに外挿して嵌められる。小口カバー６３は、突起部６３ａを有しており、該突起部６３ａを梁固定クリップ６４で係止する。側辺部６２ｃおよび６２ｄ等に用いられる各小口カバー６３は、全て同一の形状とすることで、１つの長尺の小口カバー用素材から、各側辺部の長さに応じた長さで切り出すことができる。また、各小口カバー６３は、それぞれ異なる形状であってもよいし、例えば底部６１および側部６２ごとに同一の形状であってもよい。
【００２０】
梁固定クリップ６４は、底部６１の側辺部６１ｂに沿って５箇所に、側辺部６２ｃおよび６２ｄそれぞれにおいて１箇所に設けられており、壁部４１、４２および４４に固定され、小口カバー６３の突起部６３ａを係止する。また、梁固定クリップ６４は、側部６２の側辺部６２ｃおよび６２ｄそれぞれにおいて１箇所に設けられており、壁部４１および４４に固定され、小口カバー６３の突起部６３ａを係止する。
【００２１】
梁固定クリップ６４は、金属製等の板材の折り曲げ加工等で形成されており、基端部６４ａ、接触片６４ｂおよびクリップ部６４ｃを有する。基端部６４ａは、壁部４１、４２および４４の主面に接触し、ねじ等の締結具によって各壁部に固定される。接触片６４ｂは、各壁部の端面に接触するように基端部６４ａに対して垂直に屈曲している。クリップ部６４ｃは、接触片６４ｂと逆方向にＬ字状に折り曲げられている。クリップ部６４ｃの先端部分には、さらに折り返された爪部６４ｄが形成されている。
【００２２】
図６は、梁部構造６部分の図２に相当する断面図である。小口カバー６３の突起部６３ａは、小口カバー６３のＵ字状の断面における底部分から外側に突出しており、先端部６３ｂが鉤状となっている。梁固定クリップ６４は、爪部６４ｄによって、小口カバー６３の突起部６３ａにおける鉤状の先端部６３ｂを係止する。
【００２３】
図４および図５に戻り、梁固定具６５は、梁部構造６における底部６１の側辺部６１ａおよび側部６２の側辺部６２ａの両端部に設けられている。梁固定具６５は、金属製等の板材の折り曲げ加工等で形成されており、基端部６５ａ、壁接続片６５ｂおよび嵌合部６５ｃを有する。基端部６５ａは、梁部構造６の底部６１の主面に接触し、ねじ等の締結具によって底部６１に固定される。壁接続片６５ｂは、壁部４１または４４の主面に接触するように基端部６５ａに対して垂直に屈曲しており、ねじ等の締結具によって壁部４１または４４に固定される。嵌合部６５ｃは、壁接続片６５ｂからＬ字状に折り曲げられて形成されており、梁部構造６の側部６２における小口カバー６３の突起部６３ａに嵌め合わされる。
【００２４】
梁接続クリップ６６は、梁部構造６における側部６２の側辺部６２ａの５箇所に設けられている。梁接続クリップ６６は、金属製等の板材の折り曲げ加工等で形成されており、基端部６６ａ、固定部６６ｂおよびクリップ部６６ｃを有する。基端部６６ａは、梁部構造６の側部６２の主面に接触する。固定部６６ｂは、基端部６６ａの一側辺からＬ字状に延びるように形成されており、ねじ等の締結具によって側部６２に固定される。クリップ部６６ｃは、基端部６６ａからＬ字状に折り曲げられて形成されている。クリップ部６６ｃの先端部分には、さらに折り返された爪部６６ｄが形成されている。
【００２５】
梁接続クリップ６６は、爪部６６ｄによって、梁部構造６の底部６１における側辺部６１ａを係止する。底部６１の側辺部６１ａには、底部６１の表側から裏側へ突出するように端末処理が施された突設部６１ｅが設けられている。図６に示す突設部６１ｅは、底部６１の表面となる鋼板を裏面側へＵ字状に折り返すようにして設けられており、先端部６１ｆが鉤状に形成されている。梁接続クリップ６６は、爪部６６ｄによって、底部６１の側辺部６１ａに設けられた突設部６１ｅの先端部６１ｆを係止する。
【００２６】
また、側部６２の側辺部６２ａには、側部６２の表側から裏側へ突出するように端末処理が施された突設部６２ｅが設けられている。突設部６２ｅは、側部６２の表面となる鋼板を裏面側へＵ字状に折り返すようにして設けられており、先端部６２ｆが鉤状に形成されている。側部６２の側辺部６２ａは、底部６１の側辺部６１ａの端面を覆うように設けられており、浴室ユニット１００内を臨む底部６１および側部６２の表面における接続ラインは、梁部構造６の底部６１側に表われる。
【００２７】
また図６を参照し、天井５の縁部には小口カバー５１が嵌められている。天井５は、壁部４２および４４間に亘って延びる断面Ｃ字状のアングル部材５２に、梁部構造６の側部６２とともに小口カバー５１を固定するようにして取り付けられる。
【００２８】
次に実施形態１に係る浴室ユニット１００における梁部構造６の施工方法および作用について説明する。図７（ａ）〜図７（ｄ）、および図８（ａ）〜図８（ｃ）は、梁部構造６の施工方法を説明するための模式図である。梁部構造６の施工方法は、板材Ｐを切断する板材切断工程、および梁部構造６を浴室ユニット１００に組み立てる組立工程等を有する。
【００２９】
板材切断工程では、図７（ａ）に示すように、側辺部６１ａおよび６２ａが端部処理された板材Ｐの切断線Ｌ１およびＬ２を決定して、板材Ｐを切断し、図７（ｂ）に示すように底部６１に用いる板体Ｐ１および側部６２に用いる板体Ｐ２を切り出す。板体Ｐ１の側辺部６１ｂ、６１ｃおよび６１ｄ、並びに板体Ｐ２の側辺部６２ｃおよび６２ｄに小口カバー６３を嵌める。
【００３０】
次に組立工程に移る。組立工程は、第１工程、および第２工程を有する。第１工程では、図７（ｃ）に示すように底部６１を持ち上げるようにして壁部４１、４２および４４に設けた梁固定クリップ６４に係止させ、図７（ｄ）に示す状態とする。このとき、小口カバー６３の突起部６３ａにおける鉤状の先端部６３ｂが、各梁固定クリップ６４のクリップ部６４ｃにおける爪部６４ｄに係止される。底部６１を梁固定クリップ６４に係止させた後、締結具を用いて、底部６１を梁固定具６５に固定する。
【００３１】
第２工程では、図８（ａ）に示すように、梁接続クリップ６６を側辺部６２ａに取り付けた側部６２を底部６１の斜め下から持ち上げるように、底部６１の前側に嵌め込んで、図８（ｂ）に示す状態とする。このとき、小口カバー６３の突起部６３ａにおける鉤状の先端部６３ｂが、梁固定クリップ６４のクリップ部６４ｃにおける爪部６４ｄに係止される。また、側辺部６２ａに設けた梁接続クリップ６６を、底部６１の側辺部６１ａにおける突設部６１ｅに上方から下降させるように嵌め合わせられる。梁接続クリップ６６の爪部６６ｄで、突設部６１ｅの鉤状の先端部６１ｆを係止することで、底部６１の側辺部６１ａと、側部６２の側辺部６２ａとが接続される。
【００３２】
さらに図８（ｃ）に示す後工程では、天井５を取り付ける。また、図８（ｃ）において矢印によって示される壁部４２と底部６１との接続箇所、底部６１と側部６２との接続箇所、側部６２と天井５との接続箇所を、シリコン等の樹脂等を素材とする封止材で水密に封止する。尚、成形された樹脂製等のパッキンを各接続箇所に挟み込むようにしてもよい。
【００３３】
梁部構造６を形成するための板材Ｐは、平板状であり、施工現場等へ輸送する際にかさばることがないため、輸送効率が良くなる。また、板材Ｐは、互いに重ねるようにして容易に保管することができる。また、板材Ｐは、現場における建物内の梁型Ｈの大きさに応じて底部６１および側部６２に使用する板体Ｐ１およびＰ２を切り出すことができる。
【００３４】
底部６１および側部６２は、板状であるため、施工現場において運搬することや、組立時に持ち上げたりすること等の取り扱いが容易である。また、底部６１および側部６２は、断面Ｌ型の一体物として予め形成された梁部構造を用いる場合に比べて、重量が小さく取り扱いが容易である。このように、底部６１および側部６２の取り扱いが容易となることによって組立性が良好になる。
【００３５】
また梁部構造６の組立時には、予め梁固定クリップ６４および梁固定具６５を壁部４１、４２および４３に取り付けておく必要があるものの、底部６１を梁固定クリップ６４および梁固定具６５に嵌め合わせて係止させれば良く、組立性が良好となる。また底部６１は、２箇所で梁固定具６５によって固定することができ、取付時の固定作業が簡潔に行える。
【００３６】
側部６２は、梁固定クリップ６４および梁固定具６５に嵌め合わせて係止させ、側辺部６２ａに設けた梁接続クリップ６６を、底部６１の側辺部６１ａにおける突設部６１ｅに上方から下降させて嵌め合わせればよく、容易に底部６１に接続することができる。また、梁接続クリップ６６の爪部６６ｄで、突設部６１ｅの鉤状の先端部６１ｆを係止することで、底部６１と側部６２との接続部分が外れにくくなる。また、底部６１の側辺部６１ａと側部６２の側辺部６２ａとの接続ラインは、底部６１側に表われることで、浴室ユニット１００内に入ったユーザから見えにくくなり、外観上の見栄えが良いとの印象を与える。また、側部６２の表面に水密のための封止材などの余分なラインが入らなくなるため、側部６２の表面に水が付着したとしても、表面に沿ってスムーズに流れ落ちる。
【００３７】
また、梁部構造６の施工方法では、板体Ｐ１で底部６１を形成して壁部に固定し、板体Ｐ２で側部６２を形成して壁部および底部６１に固定する工程を順次行う。この施工法により、梁部構造６を構成する底部６１および側部６２を確実に組み上げていくことができる。
【００３８】
尚、底部６１の側辺部６１ａと側部６２の側辺部６２ａとの接続ラインから短冊状の薄い金属板を挿し込んで側辺部６１ａに沿って動かし、梁接続クリップ６６を横から叩くようにして位置をずらし、固定部６６ｂ（図５参照）における固定を外すことができる。天井５に設けられた点検口などからアクセスするようにして、天井５を固定する締結具を緩めて取り外し、側部６２を取り外すことができる。さらに、梁固定具６５を取り外して、底部６１を取り外すことができる。
【００３９】
（実施形態２）
図９は、実施形態２に係る梁部構造６部分の図２に相当する断面図である。実施形態２に係る梁部構造６では、実施形態１に係る梁部構造６で用いた梁固定具６５に代えて、梁引掛具６７を用いる。実施形態２に係る梁部構造６について、以下に説明する以外の部分は、実施形態１に係る梁部構造６と同様であり、記載の簡潔のため説明を省略する。
【００４０】
梁引掛具６７は、底部６１の側辺部６１ｃおよび６１ｄに沿って１箇所に設けられており、壁部４１および４４に固定され、更に底部６１を固定する。梁引掛具６７は、金属製等の板材の折り曲げ加工等で形成されており、基端部６７ａ、引掛片６７ｂおよび梁固定片６７ｃを有する。基端部６７ａは、壁部４１および４４の主面に接触し、ねじ等の締結具によって各壁部に固定される。引掛片６７ｂは、各壁部の端面に接触して引掛けられるように基端部６４ａに対してＬ字状に屈曲している。梁固定片６７ｃは、引掛片６７ｂと逆方向に垂直に折り曲げられており、ねじ等の締結具によって底部６１を固定する。
【００４１】
実施形態２に係る梁部構造６の施工では、梁固定クリップ６４で底部６１の小口カバー６３を係止しつつ、梁引掛具６７で底部６１を固定する。側部６２の梁部構造６への組立は実施形態１と同様である。実施形態２に係る梁部構造６は、梁引掛具６７によって、底部６１の底部６１の側辺部６１ｃおよび６１ｄにおける固定を行うことができる。
【００４２】
次に、各実施形態の浴室ユニット１００の特徴を説明する。
本発明の実施形態に係る梁部構造６は、浴室ユニット１００の天井５における縁部５ｂに底部６１および側部６２を有し、浴室ユニット１００内に張り出すように設けられている。対向する側辺部６１ａおよび６２ａが端部処理された板材Ｐを切断して形成され、端部処理された側辺部６１ａおよび６２ａをそれぞれ有する一対の板体Ｐ１およびＰ２のうち、一方の板体Ｐ１で底部６１が、他方の板体Ｐ２で側部６２が形成されている。梁部構造６は、一方の板体Ｐ１（底部６１に相当する。）と、他方の板体Ｐ２（側部６２に相当する。）とが、端部処理された側辺部６１ａおよび６２ａ同士で接続されている。これにより、梁部構造６は、輸送の際にかさばることなく、施工現場での組立性が良くなる。また施工現場において、現場の梁型Ｈの寸法に合わせて底部６１および側部６２それぞれを切断加工によって形成できるため、予め梁型Ｈの寸法を測っておく手間を省くことができる。施工現場によっては、梁型Ｈの寸法を予め測ることが困難な場合もあり、施工現場において柔軟に対応することができる。
【００４３】
また梁部構造６は、側部６２における側辺部６２ａが、底部６１における側辺部６１ａの端面を覆うように配設されている。これにより、梁部構造６は、底部６１の側辺部６１ａと側部６２の側辺部６２ａとの接続ラインが底部６１側に表われることで、浴室ユニット１００内に入ったユーザから見えにくくなり、外観上の見栄えが良いとの印象を与える。
【００４４】
また梁部構造６は、底部６１における側辺部６１ａに被嵌合部としての突設部６１ｅが設けられており、側部６２における側辺部６２ａに突設部６１ｅに嵌め合わされる嵌合部としての梁接続クリップ６６が設けられている。これにより、梁部構造６は、底部６１と側部６２とを、突設部６１ｅに梁接続クリップ６６を嵌め合わせることで容易に接続することができる。
【００４５】
また梁部構造６は、突設部６１ｅが鉤状の先端部６１ｆを有し、梁接続クリップ６６が先端部６１ｆに係止する爪部６６ｄを有する。これにより、梁部構造６は、底部６１と側部６２との接続部分が外れにくくなる。
【００４６】
本発明の実施形態に係る梁部構造６の施工方法は、浴室ユニット１００の天井５における縁部５ｂに底部６１および側部６２を有し、浴室ユニット１００内に張り出す梁部構造を形成する。梁部構造６の施工方法は、板材切断工程および組立工程を備える。板材切断工程では、対向する側辺部６１ａおよび６２ａが端部処理された板材Ｐを切断して、端部処理された側辺部６１ａおよび６２ａをそれぞれ有する一対の板体Ｐ１およびＰ２を形成する。組立工程では、一対の板体Ｐ１およびＰ２のうち一方の板体Ｐ１で底部６１を、他方の板体Ｐ２で側部６２を形成し、端部処理された側辺部６１ａおよび６２ａ同士で接続する。この梁部構造６の施工方法によって、板材Ｐが輸送の際にかさばることなく、施工現場での組立性が良くなる。
【００４７】
また組立工程は、第１組立工程および第２組立工程を有する。第１組立工程では、一方の板体Ｐ１で底部６１を形成する。第２組立工程では、他方の板体Ｐ２で側部６２を形成し、端部処理された側辺部６１ａおよび６２ａ同士を接続する。この梁部構造６の施工方法によって、底部６１および側部６２を確実に組み上げていくことができる。
【００４８】
上述の実施形態１および実施形態２では、天井５の壁部４２側の縁部に梁部構造６を設ける例を示したが、建物内の天井に張り出す梁型Ｈとの位置関係に応じて、天井５の壁部４１、４３および４４側の縁部に梁部構造６を設けるようにしてもよい。
【００４９】
また、梁部構造６に用いる梁固定クリップ６４、梁固定具６５、梁接続クリップ６６および梁引掛具６７等の数量は、実施形態１および実施形態２で説明した例に限られず、梁部構造６の大きさや重量などに応じて増減することができる。
【００５０】
以上、本発明の実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【符号の説明】
【００５１】
Ｐ  板材、  Ｐ１  板体（一方の板体）、  Ｐ２  板体（他方の板体）、
５  天井、  ５ｂ  縁部、  ６  梁部構造、  ６１  底部、  ６１ａ  側辺部、
６２  側部、  ６２ａ  側辺部、  ６２ｅ  突設部（被嵌合部）、
６２ｆ  先端部、  ６６  梁接続クリップ（嵌合部）、  ６６ｄ  爪部、
１００  浴室ユニット（浴室）。
【図１】
2020041297.tif 000003
【図２】
2020041297.tif 000004
【図３】
2020041297.tif 000005
【図４】
2020041297.tif 000006
【図５】
2020041297.tif 000007
【図６】
2020041297.tif 000008
【図７】
2020041297.tif 000009
【図８】
2020041297.tif 000010
【図９】
2020041297.tif 000011